(57)【特許請求の範囲】
【請求項１】
１以上のアフィニティリガンドの製造方法であって、
（ａ）チオール基とカルボニル基とアミン基を含む環状骨格であって、次の一般式（Ｉ）で定義される環状骨格を準備する段階、
【化１】
0004660472.tif 000005
（式中、Ａ、Ｂ及びＸは互いに独立に炭素原子又は酸素、硫黄、窒素及び／もしくはシリカであり、ｍは１〜３の整数であり、官能基Ｎは窒素であって、いずれかのＸを置換或いはＡ、Ｂ及びＸのいずれかに結合している。）
（ｂ）標的分子の一部位と親和性相互作用し得る官能基及び同一標的分子の別の部位と相互作用し得る第二の官能基のいずれか一方を有する求電子試薬で上記骨格のアミン基を誘導体化する段階、及び
（ｃ）誘導体化骨格の環構造を開環して、上記標的分子の一部位と親和性相互作用し得る官能基及び同一標的分子の別の部位と相互作用し得る第二の官能基のもう一方を有するアミンをカルボニル炭素に付加する段階とを含み、
標的分子の一部位と親和性相互作用し得る官能基と同一標的分子の別の部位と相互作用し得る第二の官能基とを有するリガンドを与える方法。
【請求項２】
段階（ｂ）が親和性相互作用し得る官能基を有する求電子性カルボキシル酸による誘導体化であり、段階（ｃ）では第二の官能基を有するアミンを付加する、請求項１記載の方法。
【請求項３】
段階（ｂ）が第二の官能基を有する求電子試薬による誘導体化であり、段階（ｃ）では、親和性相互作用し得る官能基を有するアミンを付加する、請求項１又は請求項２記載の方法。
【請求項４】
ｍが１又は２である、請求項１乃至請求項３のいずれか１項記載の方法。
【請求項５】
式（Ｉ）において、Ａ、Ｂ及びＸが炭素原子である、請求項１乃至請求項４のいずれか１項記載の方法。
【請求項６】
式（Ｉ）において、ｍが１であり、骨格がホモシステインチオラクトンである、請求項１乃至請求項５のいずれか１項記載の方法。
【請求項７】
求電子試薬が、炭素−炭素二重結合、Ｃ−Ｙ（ただし、Ｙはハロゲン、メシレート基又はトシレート基を表す）又は酸もしくは活性化酸からなる群から選択される、請求項１乃至請求項６のいずれか１項記載の方法。
【請求項８】
親和性相互作用し得る官能基が親和性対の片方のメンバーである、請求項１乃至請求項７のいずれか１項記載の方法。
【請求項９】
第二の官能基が親和性とは別の相互作用によって標的分子と相互作用することができる、請求項１乃至請求項８のいずれか１項記載の方法。
【請求項１０】
複数のアフィニティリガンドを含む親和性分離媒体を生成するために、段階（ｃ）から得られた生成物をそのチオール基を介してベースマトリックスに固定化する、請求項１乃至請求項９のいずれか１項記載の方法。
【請求項１１】
チオール基がベースマトリックスのアリル基に結合している、請求項１０記載の方法。
【請求項１２】
請求項１乃至請求項１１のいずれか１項に従って製造されたアフィニティリガンド。
【請求項１３】
ベースマトリックスに固定化された請求項１２記載のリガンドを複数含む分離媒体。
【請求項１４】
請求項１３記載の分離媒体を充填したクロマトグラフィーカラム。
【請求項１５】
１種以上の標的分子を液体から分離する方法であって、前記液体を請求項１４で定義された分離媒体に接触させて、それに標的分子を吸着させる方法。
【請求項１６】
媒体と溶出液を接触させ、標的分子を媒体から放出させる後続段階をも含む、請求項１５記載の方法。
【発明の詳細な説明】
【技術分野】
【０００１】
本発明は、最適化されたアフィニティリガンドの製造法及びベースマトリックスへの固定化によって前記リガンドから分離物を製造する方法に関する。本発明はまた、本発明に従って製造されたリガンド及び分離媒体も含む。さらに、本発明はアフィニティリガンド製造用キットも含む。
【背景技術】
【０００２】
クロマトグラフィーという用語は、密接に関連した一群の分離法を包含する。他の大半の理化学的分離法と区別されるクロマトグラフィーの特徴は、非混和性の２つの相を接触させ、一方の相を固定相とし、他方を移動相とすることである。移動相に導入された試料混合物は、移動相によって系内を運搬される際に固定相と移動相の間で何度も一連の相互作用（分配）を受ける。相互作用は試料中の成分の理化学的性質の差異を利用する。こうした差異が、固定相を収容したカラム内を移動する移動相の影響下での各成分の移動速度を支配する。分離された成分は、固定相との相互作用の低いものから高いものへと順次流出する。妨害の最も少ない成分が最初に溶出し、最も強く保持された物質が最後に溶出する。分離は、試料成分がカラムから溶出する際に、ある成分の流出速度が隣接する溶質のゾーンと重ならないように十分に遅くなった場合に達成される。
【０００３】
生物工学的用途に幅広く使用されているクロマトグラフィーの１種は、親和性クロマトグラフィーである。さらに具体的には、親和性クロマトグラフィーとは、受容体に結合する酵素と同様な、鍵と鍵穴の認識の原理によって、生物学的に特異的なリガンドと目標物質の間の分子認識プロセスが行われる、非常に特異的なモードのクロマトグラフィーである。親和性クロマトグラフィーの原理の総説については、例えばＷｉｌｃｈｅｋ，  Ｍ．，  ａｎｄ  Ｃｈａｉｋｅｎ，  Ｉ．  ２０００．「Ａｎ  ｏｖｅｒｖｉｅｗ  ｏｆ  ａｆｆｉｎｉｔｙ  ｃｈｒｏｍａｔｏｇｒａｐｈｙ」Ｍｅｔｈｏｄｓ  Ｍｏｌ．  Ｂｉｏｌ．  １４７：  １−６を参照のこと。
【０００４】
アフィニティリガンドの有利な一クラスは、アミン基又は酸基を含むものである。かかるリガンドの製造では、アミン基又は酸基は、しばしばカルボン酸の活性化を経てアミド結合を形成することによって固体支持体に結合される。どちらの場合も、このタイプの化学的結合の形成はあまり効率的ではなく、副生成物及び均質性が不良な媒体が得られる。例えば、ＮＨＳエステル活性化リガンドのアミン誘導体化支持体への固定化は、完全に完結することはなく、未反応のアミン基が一部残存する。リガンドを含むアミンをエステル活性化誘導体化支持体に固定化する場合にも、同じ問題が生じる。この場合には、未反応の酸基が最終媒体中に残存している。これらの基を保護することも同様に可能であるが、最終生成物はやはり不均質のままとなる。
【０００５】
したがって、新規なアフィニティリガンドの生成及びその分離媒体の製造のための代替方法が当技術分野で必要である。既知のアフィニティリガンドの結合特性を最適化する必要もある。
【０００６】
最後に、Ｆｅｉｓｔｏｙ及びＤａｎｎａ（“Ｓｕｌｆｈｙｄｒｙｌ  ｃｅｌｌｕｌｏｓｅ：  Ａ  Ｎｅｗ  Ｍｅｄｉｕｍ  ｆｏｒ  Ｃｈｒｏｍａｔｏｇｒａｐｈｙ  ｏｆ  Ｍｅｒｃｕｒａｔｅｄ  Ｐｏｌｙｎｕｃｌｅｏｔｉｄｅｓ”，  Ｐａｔｒｉｃｉａ  Ｌ．  Ｆｅｉｓｔ  ａｎｄ  Ｋａｔｈｌｅｅｎ  Ｊ．  Ｄａｎｎａ，  Ｂｉｏｃｈｅｍｉｓｔｒｙ，２０（１５），  ｐ．４２４３−４２４６）は、アミノエチルセルロースをＮ−アセチルホモシステインチオラクトンと混合することを含むスルフヒドリルセルロースの製造法を開示している。
【特許文献１】国際公開第８８／０７４１４号
【非特許文献１】Ｗｉｌｃｈｅｋ，  Ｍ．，  ａｎｄ  Ｃｈａｉｋｅｎ，  Ｉ．  ２０００．「Ａｎ  ｏｖｅｒｖｉｅｗ  ｏｆ  ａｆｆｉｎｉｔｙ  ｃｈｒｏｍａｔｏｇｒａｐｈｙ」Ｍｅｔｈｏｄｓ  Ｍｏｌ．  Ｂｉｏｌ．  １４７：  １−６
【非特許文献２】「Ｓｕｌｆｈｙｄｒｙｌ  ｃｅｌｌｕｌｏｓｅ：  Ａ  Ｎｅｗ  Ｍｅｄｉｕｍ  ｆｏｒ  Ｃｈｒｏｍａｔｏｇｒａｐｈｙ  ｏｆ  Ｍｅｒｃｕｒａｔｅｄ  Ｐｏｌｙｎｕｃｌｅｏｔｉｄｅｓ」Ｐａｔｒｉｃｉａ  Ｌ．  Ｆｅｉｓｔ  ａｎｄ  Ｋａｔｈｌｅｅｎ  Ｊ．  Ｄａｎｎａ，  Ｂｉｏｃｈｅｍｉｓｔｒｙ，  ２０（１５），  ｐ．  ４２４３−４２４６
【非特許文献３】「Ｉｍｍｏｂｉｌｉｚｅｄ  Ａｆｆｉｎｉｔｙ  Ｌｉｇａｎｄ  Ｔｅｃｈｎｉｑｕｅｓ」Ｈｅｒｍａｎｓｏｎ  ｅｔ  ａｌ，  Ｇｒｅｇ  Ｔ．  Ｈｅｒｍａｎｓｏｎ，  Ａ．  Ｋｒｉｓｈｎａ  Ｍａｌｌｉａ  ａｎｄ  Ｐａｕｌ  Ｋ．  Ｓｍｉｔｈ，  Ａｃａｄｅｍｉｃ  Ｐｒｅｓｓ，  ＩＮＣ，  １９９２．
【非特許文献４】Ｓ  Ｈｊｅｒｔｅｎ：  Ｂｉｏｃｈｉｍ  Ｂｉｏｐｈｙｓ  Ａｃｔａ  ７９（２），  ３９３−３９８  （１９６４）
【非特許文献５】「Ｓｔｙｒｅｎｅ  ｂａｓｅｄ  ｐｏｌｙｍｅｒ  ｓｕｐｐｏｒｔｓ  ｄｅｖｅｌｏｐｅｄ  ｂｙ  ｓｕｓｐｅｎｓｉｏｎ  ｐｏｌｙｍｅｒｉｚａｔｉｏｎ」（Ｒ  Ａｒｓｈａｄｙ：  Ｃｈｉｍｉｃａ  ｅ  Ｌ’Ｉｎｄｕｓｔｒｉａ  ７０（９），  ７０−７５  （１９８８）
【非特許文献６】Ｋｏｅｈｌｅｒ，  Ｍｉｃｈａｅｌ  Ｆ．Ｔ．  ｅｔ  ａｌ．，  Ｂｉｏ．  Ｍｅｄ．  Ｃｈｅｍ．  Ｌｅｔｔｅｒｓ，  ２００２，  １２，  ２８８３−２８８６
【発明の開示】
【発明が解決しようとする課題】
【０００７】
本発明の一目的は、特異性及び選択性を改変させたリガンドを製造することができるアフィニティリガンドの製造法を提供することである。これは、請求項１に定義される方法で実現することができる。
【０００８】
本発明の特定の目的は、すでに定義されたアフィニティリガンドの特性を改変することである。これは、本発明に従って、標的分子の、既知のリガンドの相互作用部位から離れた部位に対して特異的な別の相互作用を既知のアフィニティリガンドに加えることによって実現することができる。
【０００９】
別の目的は、簡単な合成経路を提供し、また様々な異なるリガンドの製造を可能にするかかる方法を提供することである。
【００１０】
さらに別の目的は、分離媒体を製造するために、ベースマトリックスに固定化することの容易なリガンドを生ずるかかる方法を提供することである。
【００１１】
したがって、本発明の追加の一目的は、均質媒体を生ずる親和性分離媒体を提供することである。
【００１２】
本発明の以上の目的は、上記請求項のいずれか１以上によって達成できる。本発明のその他の目的、利点及び実施形態は、以下の詳細な説明から明らかであろう。
【課題を解決するための手段】
【００１３】
第一の態様では、本発明は、１以上のアフィニティリガンドの製造方法であって、
（ａ）チオール基とカルボニル基とアミン基を含む環状骨格を準備する段階、
（ｂ）標的分子と親和性相互作用し得る官能基又は第二の相互作用をなし得る官能基を有する求電子試薬で上記骨格のアミン基を誘導体化する段階、及び
（ｃ）この誘導体化骨格の環構造を開環して、標的分子との第二の相互作用をなし得る官能基又は親和性相互作用し得る官能基を有するアミンをカルボニル炭素に付加する段階とを含み、
標的分子の一部位と親和性相互作用し得るリガンドと同一標的分子の別の部位と相互作用し得る第二の官能基を与える方法である。すなわち、本発明に従って製造されるリガンドは、１種の相互作用が親和性に基づくものであるマルチモードリガンドである。
【００１４】
定義
「分離媒体」という用語は、本明細書では、例えばクロマトグラフィーカラムの充填材として有用な材料、具体的には、ベースマトリックスに１以上のリガンドが結合したものからなる材料に用いる。ベースマトリックスは担体として作用し、リガンドはクロマトグラフィーで目標物質と相互作用する官能基を与える。
【００１５】
「スペーサー」という用語は、ベースマトリックスからリガンドを離隔するための化学物質に用いる。
【００１６】
「リガンド」という用語は、本明細書では、目標物質に結合し得る化学物質をいう。かかる目標物質は、クロマトグラフィーでの単離又は除去が望まれる化合物でもよいし、或いは分析の目標物質でもよい。
【００１７】
本明細書では、「官能基」という用語は、標的分子又は標的化合物と相互作用することができるという意味で官能性である基又は分子に使用される。
【００１８】
この明細書では、「標的分子」という用語は、しばしば相互作用の文脈中で使用される。当業者には自明であろうが、標的は、分子でも、化合物でもよい。
【発明を実施するための最良の形態】
【００１９】
この方法の好ましい一実施形態では、親和性相互作用を与える官能基は、本明細書で既知のリガンドと呼ばれることもあるすでに定義されたアフィニティリガンドである。したがって、既知のリガンドの諸特性、例えば特異性を最適化する方法としてこの方法を使用すると有利である。例えば吸着又は脱着を改善する目的で、リガンドの結合強度をそれぞれ高める又は下げるために、アフィニティリガンドの諸特性を任意の所望の方式で改変することができる。
【００２０】
この方法の一実施形態では、段階（ｂ）は、親和性相互作用し得る官能基を有する求電子性カルボキシル酸による誘導体化であり、段階（ｃ）では、第二の官能基を有するアミンを付加する。
【００２１】
この方法の別の実施形態では、段階（ｂ）は、第二の官能基を有する求電子試薬による誘導体化であり、段階（ｃ）では、親和性相互作用し得る官能基を有するアミンを付加する。
【００２２】
さらに具体的には、この方法の一実施形態では、段階（ａ）において、骨格は、一般式（Ｉ）で定義される。
【００２３】
【化１】
0004660472.tif 000002
【００２４】
式中、
Ａ、Ｂ及びＸは互いに独立に炭素原子又はヘテロ原子、例えば酸素、硫黄、窒素及び／又はシリカであり、ｍは０〜４の整数、例えば１〜３、好ましくは１又は２であり、官能基Ｎは窒素であって、いずれかのＸを置換或いはＡ、Ｂ及びＸのいずれかに結合している。
【００２５】
有利な一実施形態では、式（Ｉ）において、Ａ、Ｂ及びＸは、炭素原子である。現時点で最も好ましい実施形態では、式（Ｉ）において、ｍは１であり、骨格はホモシステインチオラクトンである。しかし、リガンドの所望のサイズに応じて、ｍの値を、例えば５〜１０など２〜１００の幅広い範囲内で変えることができる。
【００２６】
段階（ｂ）では、求電子試薬は、炭素−炭素二重結合、Ｃ−Ｙ（ただし、Ｙは例えばＢｒ、Ｉ、Ｃｌなどのハロゲン、メシレート基又はトシレート基を表す）又はＷＣ＝ＯやＷＳ（Ｏ）２などの酸もしくは活性化酸（ただし、Ｗは例えばハロゲン原子、Ｎ−ヒドロサクシンイミド、ペンタフルオロフェノール、パラ−ニトロフェノール又はクロロギ酸イソプロピルからなる）からなる群から選択される。したがって、特定の一実施形態では、求電子試薬はカルボン酸である。
【００２７】
親和性相互作用は、親和性対（ａｆｆｉｎｉｔｙ  ｐａｉｒ）の適切な任意のメンバーを利用することができる。かかる親和性対の多くは、当技術分野ではよく知られているが、慎重なスクリーニングによって同定されたあまり知られていないメンバーを使用することも可能である。したがって、一実施形態では、親和性相互作用し得る官能基は、アビジン−ビオチン；脂肪族酸／ＢＳＡなどからなる群から選択される、親和性対の片方のメンバーである。
【００２８】
さらに、同じ標的分子の別の部位と相互作用することができる第二の官能基は、親和性対の追加のメンバーとすることができ、それは、標的分子の、上記で論じた親和性相互作用し得る官能基とは別の部位に対するものである。したがって、一実施形態では、この方法は、上記に記載したものから選択され得る２種の親和性基を含むリガンドを与える。
【００２９】
別の実施形態では、同じ標的分子の別の部位と相互作用することができる第二の官能基によって、荷電基、疎水基、親水基、水素結合、電子供与体／受容体など、親和性とは異なる性質の相互作用が得られる。
【００３０】
したがって、この第二の官能基によって、エンハンサ、すなわち標的結合を高める役割、ディスクリミネータ、すなわち選択性を高める役割又はモジュレータ、すなわち溶出条件を改変する役割を果たすことができる追加の相互作用中心が導入される。
【００３１】
したがって、所望の標的分子に応じて、既知の又は以前に同定されたアフィニティリガンド単独の場合よりも標的分子との３Ｄ相互作用が大きいアフィニティリガンドを、当業者は容易に設計することができる。したがって、互いに結合させて、より大きな断片を生成し、新しい相互作用中心を導入することによって、親和性及び選択性が改善された、或いは特性が改変されたリガンドを製造することが可能となる。
【００３２】
この方法の一実施形態では、誘導体化骨格を与えるため段階（ａ）及び（ｂ）を前もって実施しておく。したがって、その場合、出発材料は、より早期にさらには他の場所で誘導体化された骨格である。
【００３３】
上記から明らかなように、段階（ｃ）は、アミノリシス反応である。かかる反応を行うための条件は、使用するアミンのｐＫａ及び求核性を十分考慮した上で、当業者によって容易に決定される。
【００３４】
有利な一実施形態では、本発明に従って製造された複数のアフィニティリガンドを含む親和性分離媒体を生成するために、段階（ｃ）から得られた生成物をそのチオール基を介してベースマトリックスに固定化する。チオール基は求核性が強いので、上記に記載したように製造されたリガンドを容易に固定化することができ、置換レベルを難なく制御し得る均質媒体を得ることができる。さらに、本発明は、特異的な一親和性基を同定した後、第二の相互作用を導入することによって、より特異的な特性のための汎用スクリーニングを可能にする。したがって、本発明による分離媒体を、特定の用途向けに又は特定の条件向けに最適化することができる。この方法の別の利点は、均質媒体が得られ、副生成物がほとんどないことであり、事実上、唯一の副生成物は、親和性相互作用を妨げるはずのないグリセロール誘導体である。
【００３５】
一実施形態では、製造されたリガンドのチオール基を、ベースマトリックスのアリル基に結合させる。（固定化技法の全般的な概説については、「Ｉｍｍｏｂｉｌｉｚｅｄ  Ａｆｆｉｎｉｔｙ  Ｌｉｇａｎｄ  Ｔｅｃｈｎｉｑｕｅｓ」Ｈｅｒｍａｎｓｏｎ  ｅｔ  ａｌ，  Ｇｒｅｇ  Ｔ．  Ｈｅｒｍａｎｓｏｎ，  Ａ．  Ｋｒｉｓｈｎａ  Ｍａｌｌｉａ  ａｎｄ  Ｐａｕｌ  Ｋ．  Ｓｍｉｔｈ，  Ａｃａｄｅｍｉｃ  Ｐｒｅｓｓ，  ＩＮＣ，  １９９２．を参照のこと）
第二の態様では、本発明は、標的分子の一部位と親和性相互作用し得る第一の官能基及び同じ標的分子の別の部位と相互作用することができる第二の官能基を含む１以上のアフィニティリガンドの製造における出発材料としてのホモシステインチオラクトンの使用に関する。ホモシステインチオラクトンは、例えばＡｌｄｒｉｃｈからカタログ番号Ｈ１，５８０−２及びＣＡＳ番号６０３８−１９−３で市販されている。
【００３６】
また、本発明は、ホモシステインチオラクトンなどの骨格、１種以上の誘導体化剤及び開環に適した１種以上のアミンをその使用説明書とともに含むキットも包含する。かかる説明書は、本発明による方法に関して上記に記述した詳細の１以上を含んでもよい。別の実施形態では、このキットは、誘導体化された骨格及び開環に適したアミンをその使用説明書とともに含む。
【００３７】
第三の態様では、本発明は、標的分子の一部位と親和性相互作用し得る第一の官能基及び同じ標的分子の別の部位と相互作用することができる第二の官能基を含むアフィニティリガンドである。一実施形態では、このリガンドは、上記に記載したように製造された。本発明によるリガンドは、親和性相互作用し得る部位及び追加の相互作用が可能な第二の部位を含むマルチモードリガンドである。
【００３８】
第四の態様では、本発明は、ベースマトリックスに固定化された本発明によるリガンドを複数含む分離媒体である。この分離媒体は、分析目的などで、所望の目標物質の単離、所望の液体からの所望でない目標物質の除去に有用である。目標物質の例は、例えば、抗体などのタンパク質、ペプチド、ＤＮＡやＲＮＡなどの核酸、プラスミド、オリゴヌクレオチド、ウィルス、細胞などの生体分子である。所望でない目標物質の例は、発熱性物質、毒素などである。
【００３９】
したがって、分離媒体が親和性クロマトグラフィーに使用されるためのものである場合、ベースマトリックスは通常、ゲルなどビーズの形又はモノリシックな形である。一代替実施形態では、ベースマトリックスは、例えばメンブラン、フィルター、１以上のチップ、表面、キャピラリーなどとすることができる。
【００４０】
一実施形態では、ベースマトリックスは、逆懸濁ゲル化（ｉｎｖｅｒｓｅ  ｓｕｓｐｅｎｓｉｏｎ  ｇｅｌａｔｉｏｎ）（Ｓ  Ｈｊｅｒｔｅｎ：  Ｂｉｏｃｈｉｍ  Ｂｉｏｐｈｙｓ  Ａｃｔａ  ７９（２），  ３９３−３９８  （１９６４））や回転ディスク技法（ｓｐｉｎｎｉｎｇ  ｄｉｓｋ  ｔｅｃｈｎｉｑｕｅ）（例えば、国際公開第８８／０７４１４号（Ｐｒｏｍｅｔｉｃ  Ｂｉｏｓｃｉｅｎｃｅｓ  Ｉｎｃ）を参照のこと）などの標準方法に従って、当業者が容易に行う、好ましくは多孔質ビーズの形の天然高分子である。或いは、天然高分子ビーズを、スウェーデンウプサラのＡｍｅｒｓｈａｍ  Ｂｉｏｓｃｉｅｎｃｅｓ  ＡＢなどの供給業者から得る。かかる有用な天然高分子ビーズの商標名の例は、例えばＳｅｐｈａｒｏｓｅ（登録商標）やＳｅｐｈａｄｅｘ（登録商標）として知られている種類のものである。
【００４１】
別の実施形態では、ベースマトリックスは、スチレン又はスチレン誘導体、ジビニルベンゼン、アクリルアミド、アクリル酸エステル、メタクリル酸エステル、ビニルエステル、ビニルアミドなどの架橋合成高分子からなる、好ましくは多孔質ビーズの形の合成高分子である。かかる高分子は、標準方法に従って容易に生成される。例えば、「Ｓｔｙｒｅｎｅ  ｂａｓｅｄ  ｐｏｌｙｍｅｒ  ｓｕｐｐｏｒｔｓ  ｄｅｖｅｌｏｐｅｄ  ｂｙ  ｓｕｓｐｅｎｓｉｏｎ  ｐｏｌｙｍｅｒｉｚａｔｉｏｎ」（Ｒ  Ａｒｓｈａｄｙ：  Ｃｈｉｍｉｃａ  ｅ  Ｌ’Ｉｎｄｕｓｔｒｉａ  ７０（９），  ７０−７５  （１９８８））を参照のこと。或いは、Ｓｏｕｒｃｅ（登録商標）（スウェーデンウプサラのＡｍｅｒｓｈａｍ  Ｂｉｏｓｃｉｅｎｃｅｓ  ＡＢ）などの市販の製品を、本発明に従って表面改質することもできる。
【００４２】
反応性アリル基など適切な反応性基を有するベースマトリックスを提供する方法及びその活性化は、当技術分野でよく知られている。
【００４３】
最後の態様では、本発明は、上記に記載する分離媒体を充填したクロマトグラフィーカラムである。このカラムは、大規模生産や実験室規模生産など任意の所望のサイズとすることができ、或いは分析目的に適したものとすることもできる。特定の一実施形態では、本発明によるカラムは、ルアーアダプタ、チュービングコネクタ及びドーム型ナットを備えている。クロマトグラフィーカラム、本明細書で記載されたマルチモードリガンドを含む分離媒体及び場合によっては液体を別々の区画に、生体分子単離用キットの使用を記載する説明書とともに含むキットも包含する。このキットの別の実施形態では、このクロマトグラフィーカラムを、回分法に適した容器で置き換える。
【００４４】
最後に、本発明はまた、標的分子を液体から分離する方法も包含する。この方法では、前記液体を本発明による分離媒体に接触させて、それに標的分子を吸着させ、続いて前記媒体を溶出液に接触させ、標的分子を媒体から放出させる。一実施形態では、第一段階で、標的分子を含む液体を、リガンドへの標的分子の吸着を可能とする条件下で分離媒体に通す。かかる条件は、例えばｐＨ及び／又は塩濃度、すなわち溶液のイオン強度によって制御される。媒体の能力を越えないよう注意を払うべきである。すなわち満足できる吸着が可能となるように流量を十分遅くするべきである。この段階では、溶液の他の成分は、原理上は妨げられずに通過する。保持されかつ／或いは緩やかに結合した物質を除去するために、場合によっては次いで媒体を例えば水溶液で洗浄する。次の段階では、溶出液と呼ばれる第二の液体を、標的分子を脱着、すなわち放出させる条件下で媒体に通す。かかる条件は通常、ｐＨ、塩濃度、すなわちイオン強度、疎水性などの変化によって得られる。傾斜溶出や階段溶出など様々な溶出スキームが知られている。また、媒体上の標的分子に置き換わる競合物質を含む溶液によって溶出することもできる。
【００４５】
上記で論じた目標物質分離用クロマトグラフィーの一般原則は当技術分野でよく知られており、この方法を使用するために必要なパラメータを当業者は容易に使用することができる。一代替実施形態では、この方法は、液体を容器中の媒体と適切な時間接触させる回分法である。特定の一実施形態では、本発明は、流動床を利用する。この実施形態では、流動床技術でよく知られているように、ベースマトリックスは、ステンレス鋼又はガラスなどの高密度充填剤が装填されている。かかるベースマトリックスはよく知られており、また市販されている。
【００４６】
図面の詳細な説明
図１は、既知のリガンドの相互作用部位とは異なる部位で標的分子と相互作用する第二の基（四角）の付着によって、既知のアフィニティリガンドの特性を改変する、本発明に使用される多点付着の概念を示している。さらに具体的には、左図は、標的化合物の一部位しか媒体と相互作用をしない通常のアフィニティ媒体を示している（媒体は楕円形で示し、リガンドの相互作用部位は六面体である）。右図は、第二の部位（四角）を介してさらに相互作用する、本発明によるマルチモードアフィニティ媒体を示している。
【００４７】
図２は、ホモシステインチオラクトンを骨格として使用する本発明の方法を用いて、リガンドのライブラリーをどのように生成できるかを例によって示している。アフィニティリガンドは長方形で示し、楕円形は第二の相互作用を示している。左から右に向かう矢印で示すように、Ｈ２Ｎ残基−第二の相互作用を付加することによって多様性が生まれる。本発明によるライブラリーは、例えば最適化の研究に有用である。
【００４８】
図３ａは、通常の不均質アフィニティ媒体の製造法を概略的に示し、図３ｂは、均質アフィニティ媒体を本発明に従ってどのように製造できるかを概略的に示している。明らかにわかる通常の製造法の短所は、ベースマトリックスが通常の経路の最初から存在し、より大きな容積、したがってよりコストのかかる装置及び手順が必要となることである。
【００４９】
図４は、実施例に説明するようにウシ血清アルブミン（ＢＳＡ）の溶出を行ったクロマトグラムを示している。ゲルは、左から右に、ゲル４、ゲル２ｂ（上段）、ゲル３、ゲル２ａ（中段）及びゲル１（下段）である。
【実施例】
【００５０】
以下の実施例は、例示を目的としたものにすぎず、特許請求の範囲によって規定される本発明の範囲を限定するものではない。本明細書のいずれかの箇所で引用した文献の記載内容は援用によって本明細書の内容の一部をなす。
【００５１】
Ｄ，Ｌ−ホモシステインチオラクトンを骨格として使用して、親和性クロマトグラフィー用の新規媒体を生成する一般的方法：
【００５２】
【化２】
0004660472.tif 000003
【００５３】
中間体化合物全ての純度及び構造アイデンティティをＬＣ−ＭＳ及びＮＭＲを使用して確立した。
【００５４】
一般的方法
段階１：
Ｄ，Ｌ−ホモシステインチオラクトンＩａ及びジイソプロピルエチルアミン（ＤＩＰＥＡ）のジクロロメタン（ＤＣＭ）溶液Ａを０℃に冷却した。塩化アシル又は塩化スルホニル又は酸無水物又は活性化酸を含むＤＣＭ溶液Ｂを０℃に冷却し、０〜５℃に維持した溶液Ａに滴下した。混合物を室温で終夜撹拌した。溶媒を真空下で除去した。必要なら、得られた生成物を酢酸エチルに溶解し、クエン酸（１０ｗ／ｗ％水溶液）溶液及び炭酸カリウム（１０ｗ／ｗ％水溶液）溶液で洗浄することができる。有機相を水で洗浄した後、硫酸ナトリウムで乾燥し、溶媒を蒸発させた。
【００５５】
段階２：
得られた生成物をテトラヒドロフラン（ＴＨＦ）に溶解し、窒素バブリングによって、１０分間脱気した。この溶液に、ＴＨＦに溶解させたアミンを室温で添加した。反応混合物をさらに１７時間撹拌した。溶媒を真空下で蒸発させた後、残渣を酢酸エチル及びクエン酸（１０ｗ／ｗ％水溶液）で抽出した。有機相を水で洗浄した後、硫酸ナトリウムで乾燥し、溶媒を蒸発させた。必要な場合は、段階３の前に、生成物をＨＰＬＣで精製した。
【００５６】
段階３：
Ｓｅｐｈａｒｏｓｅ（登録商標）６  Ｆａｓｔ  Ｆｌｏｗ（スウェーデンウプサラのＡｍｅｒｓｈａｍ  Ｂｉｏｓｃｉｅｎｃｅｓ）（ドレインドゲル１００ｍｌ）を、４．６Ｍ  ＮａＯＨ（３０ｍｌ、０．１３７モル）及び１，４  ビス−（２，３  エポキシプロポキシ）ブタン（２００ｍｌ）と混合した。この混合物を３０℃で機械的撹拌装置を用いて２時間撹拌した。濾過した後、ゲルを水（５×５００ｍｌ）で洗浄し、ｐＨ紙を用いて、ゲルのｐＨを確認した（ｐＨ６）。５０％（ｗ／ｗ）Ｎａ２Ｓ２Ｏ３・５Ｈ２Ｏ水溶液と反応させた後、エポキシドの置換レベルを滴定で測定した。エポキシドの置換レベルを１５μｍｏｌ／ゲル１ｍｌと推定した。
【００５７】
上記で得られたエポキシ活性化ゲルを、段階２から生じた生成物のアルカリ溶液（エポキシド基１個当たり２．５当量のリガンド）と混合し、ｐＨを１２に調整し、混合物を終夜５０℃まで温めた。反応した後、ゲル（１体積）を濾過し、水（２×１５体積）、エタノール（２×１５体積）、酢酸０．２Ｍ（２×１５体積）及び水（２×１５体積）で洗浄した。元素分析で、ゲルに固定化されたリガンドの置換レベルを窒素原子及び硫黄原子の百分率から推定した。
【００５８】
実施例１〜９
以下の実施例１では、Ｒ１は、Ｋｏｈｌｅｒらによってウシ血清アルブミン（ＢＳＡ）に対して親和性を有すると記述された２−ナフタレンスルホニル部分である［Ｋｏｅｈｌｅｒ，  Ｍｉｃｈａｅｌ  Ｆ．Ｔ．  ｅｔ  ａｌ．，  Ｂｉｏ．  Ｍｅｄ．  Ｃｈｅｍ．  Ｌｅｔｔｅｒｓ，  ２００２，  １２，  ２８８３−２８８６］。以下の実施例は、Ｄ，Ｌ−ホモシステインチオラクトンＩａを骨格として使用し、また記載した化学反応を使用している（上記のスキーム１を参照のこと）。ホモシステインチオラクトンＩａを２−ナフタレンスルホニルクロリドと反応させることによって結合されたスルホンアミドを形成した後、アミンでチオラクトンの開環を実現し、得られた化合物をさらに、エポキシ活性化Ｓｅｐｈａｒｏｓｅ（登録商標）６  Ｆａｓｔ  Ｆｌｏｗに結合させた。
【００５９】
実施例１
段階１：Ｄ，Ｌ−ホモシステインチオラクトン塩酸塩６．８ｇ（４４．１ｍｍｏｌ）を、ＤＣＭ１００ｍｌ及びＤＩＰＥＡ１６．１ｍｌ（９２．６ｍｍｏｌ）に溶解し、０℃まで冷却した。この溶液に、ＤＣＭ５０ｍｌ中の２−ナフタレンスルホニルクロリド１０．０ｇ（４４．１ｍｍｏｌ）を段階１に従って室温で徐々に添加し、反応混合物をさらに１６時間撹拌した。溶媒を真空下で除去し、酢酸エチル（３００ｍｌ）を添加した。有機相をクエン酸（１０ｗ／ｗ％水溶液）（２×１００ｍｌ）で洗浄した。有機相を硫酸ナトリウムで乾燥した後、蒸発させ、白色粉末１３．１ｇを回収した。収率：９６％。
【００６０】
段階２：段階１から生じた生成物２６０ｍｇ（０．７０ｍｍｏｌ）をＴＨＦ６ｍｌに溶解した。この脱気させた溶液（窒素バブリング１０分間）に、ｎ−ブチルアミン０．３３４ｍｌ（３．４ｍｍｏｌ）を添加し、混合物を室温で１６時間撹拌した。溶媒を除去し、粗物質をメタノール１ｍｌに溶解し、１０分間で１００％水から１００％アセトニトリルの勾配をかけた逆相ＨＰＬＣで精製した。白色粉末２６５ｍｇを回収した。収率：８４％。
【００６１】
段階３：段階２の生成物３８ｍｇ（０．１ｍｍｏｌ）を１Ｎ  ＮａＯＨ５ｍｌに溶解した。このリガンド溶液に、エポキシ活性化Ｓｅｐｈａｒｏｓｅ（登録商標）８ｍｌ（導入率１５μｍｏｌ／ゲル１ｍｌ）を添加し、反応混合物を終夜５０℃で振盪板上に置いた。次いで、このゲル１を水、エタノール、水、酢酸０．２Ｍ及び水で洗浄した。
【００６２】
実施例２
段階１：ＤＣＭ５ｍｌ中の塩化ベンゾイル（０．８７ｍｌ、７．５ｍｍｏｌ）溶液を、ジクロロメタン（ＤＣＭ、１５ｍｌ）中のＤ，Ｌ−ホモシステインチオラクトン（１．１５ｇ、７．５ｍｍｏｌ）及びＤＩＰＥＡ（２．６ｍｌ、１５ｍｍｏｌ）の溶液に０℃で滴下した。混合物を室温で終夜撹拌した。溶媒を真空下で蒸発させ、反応残渣を酢酸エチル（３０ｍｌ）で抽出した。有機相をクエン酸水溶液１０％（ｗ／ｗ、２０ｍｌ）、Ｋ２ＣＯ３水溶液１０％（２０ｍｌ）、水（２０ｍｌ）で洗浄し、硫酸ナトリウムで乾燥した。濾過した後、溶媒を除去して、白色固体を得る（１．３７ｇ、８３％）。
【００６３】
段階２：アニリン（３．１２５ｍｌ、３４．６７ｍｍｏｌ）及び上記の化合物（７５０ｍｇ、３．３９ｍｍｏｌ）を窒素雰囲気中１００℃で混合し、撹拌した。反応をＬＣ−ＭＳで監視し、６時間後に、混合物を室温まで冷却させた。ＥｔＯＡｃとシクロヘキサン（１：２）を開始移動相として使用したフラッシュクロマトグラフィーで粗生成物を精製し、化合物５として明桃色固体（７００ｍｇ、６５％）を得た。
【００６４】
段階３：一般的な記述に従って、カップリングを行った。
【００６５】
実施例３
段階１：実施例２の段階１に記載したのと同様の手順を使用した。
【００６６】
段階２：段階１からの化合物（０．１９４ｇ、０．８７５ｍｍｏｌ）及び３，４−ジヒドロキシベンジルアミン臭化水素酸塩（０．９６３ｇ、４．３８ｍｍｏｌ）を、窒素雰囲気中で、ＴＨＦ（１００ｍｌ）中のＤＩＰＥＡ（１．５５ｍｌ）とともに混合した。この不均質混合物を１００℃で還流し、反応をＬＣ−ＭＳで監視した。２４時間後に、混合物を室温まで冷却させ、溶媒を真空下で蒸発させ、黄色固体を得た。ＥｔＯＡｃとシクロヘキサン（１：２）を開始移動相として使用したフラッシュクロマトグラフィーで粗生成物を精製し、白色固体（１２０ｍｇ、３８％）を得た。
【００６７】
段階３：一般的な記述に従って、カップリングを行った。
【００６８】
実施例４
段階１：実施例２の段階１に記載したのと同様の手順を使用した。
【００６９】
段階２：３−アミノフェノール（２．９６ｇ、２７．１２ｍｍｏｌ）を乾燥ＴＨＦ（１０ｍｌ）と混合し、０℃に冷却した。トルエン（４．２ｍｌ、４．２ｍｍｏｌ）中のＤＩＢＡＬ−Ｈ（１．０Ｍ）を、アルゴン雰囲気中で添加した。反応混合物を氷浴中に置いた。２時間後、反応混合物は部分的に固体になり、上記で得られた化合物（１．０ｇ，４．５２ｍｍｏｌ）の乾燥ＴＨＦ（９．５ｍｌ）溶液を室温で３０分間で滴下した。滴下した後、反応混合物を２時間撹拌した。段階１からの化合物を添加してから６時間後に、混合物を０℃に冷却し、水（２．５ｍｌ）を添加することによって、反応を止めた。１Ｍ  ＫＨＳＯ４水溶液（５．５ｍｌ）を添加することによって、ｐＨを６から４．５に調整した。白色結晶が沈殿し、反応混合物をＥｔＯＡｃ（５０ｍｌ）で抽出し、ｐＨ３のクエン酸水溶液（３×４０ｍｌ）で洗浄し、水（４０ｍｌ）で洗浄し、Ｎａ２ＳＯ４で乾燥し、濾過し、濃縮した。ＥｔＯＡｃ：シクロヘキサン（１：２）を移動相として使用したフラッシュクロマトグラフィーで粗生成物を精製し、黄色固体（７９０ｍｇ、５３％）を得た。
【００７０】
段階３：一般的な記述に従って、カップリングを行った。
【００７１】
実施例５
段階１：実施例２の段階１に記載したのと同様の手順を使用した。
【００７２】
段階２：段階１からの化合物（１．０ｇ、４．５２ｍｍｏｌ）を窒素雰囲気中でＴＨＦ（６０ｍｌ）に溶解した。エタノールアミン（１．３７ｍｌ、２２．６０ｍｍｏｌ）を、室温で反応混合物に慎重に添加した。６時間後に、溶媒を真空下で蒸発させ、桃色オイルを得た。ＥｔＯＡｃを開始移動相として使用したフラッシュクロマトグラフィーで粗生成物を精製し、白色固体（１．１ｇ、８３％）を得た。
【００７３】
段階３：一般的な記述に従って、カップリングを行った。
【００７４】
実施例６
段階１：Ｄ，Ｌ−ホモシステインチオラクトン塩酸塩（１０ｇ、６５ｍｍｏｌ）を、ＤＩＰＥＡ（２２．６ｍｌ、１３０ｍｍｏｌ）とともにＤＣＭ（１５０ｍｌ）に溶解した。混合物を０℃に冷却した後、塩化３−メトキシベンゾイル（９．１ｍｌ、６５ｍｍｏｌ）を添加した。反応混合物を室温で終夜撹拌した。溶媒を真空下で蒸発させ、得られた残渣をＥｔＯＡｃ（３００ｍｌ）に溶解し、１０％（ｗ／ｗ）クエン酸溶液（２×１００ｍｌ）で抽出した。有機相を１０％（ｗ／ｗ）Ｋ２ＣＯ３水溶液（２×１００ｍｌ）、水（２×１００ｍｌ）で洗浄し、無水Ｎａ２ＳＯ４で乾燥し、濾過し、真空下で蒸発させ、白色固体（１５．４ｇ、９４％）を得た。
【００７５】
段階２：段階１で得られた化合物（３．０ｇ、１１．９４ｍｍｏｌ）及びベンジルアミン（６．５２ｍｌ、５９．６９ｍｍｏｌ）を窒素雰囲気中室温でＴＨＦ（５０ｍｌ）中で混合して、黄色透明溶液を形成した。４時間後、溶媒を真空下で除去して、粗生成物として黄色オイルを得た。ＥｔＯＡｃとシクロヘキサン（１：２）を開始移動相として使用したフラッシュクロマトグラフィーで粗生成物を精製し、白色固体（３．４１ｇ、８０％）を得た。
【００７６】
段階３：一般的な記述に従って、カップリングを行った。
【００７７】
実施例７
段階１：実施例６の段階１に記載したのと同様の手順を使用した。
【００７８】
段階２：３−アミノフェノール（１．３ｇ、１１．９４ｍｍｏｌ）を、乾燥ＴＨＦ（１０ｍｌ）と混合し、０℃に冷却した。トルエン（１０ｍｌ、１０ｍｍｏｌ）中のＤＩＢＡＬ−Ｈ（１．０Ｍ）をアルゴン雰囲気中で添加した。黄色透明溶液が形成され、１５分後に暗緑色になった。２時間後に、段階１から得られた化合物（１．０ｇ、３．９８ｍｍｏｌ）の乾燥ＴＨＦ（１３ｍｌ）溶液を室温で滴下した。滴下後、反応混合物を２時間撹拌した。段階１からの化合物を添加して４時間後に、混合物を０℃に冷却し、水（４ｍｌ）を添加することによって、反応を止めた。橙色固体が形成された。１Ｍ  ＫＨＳＯ４水溶液（５．５ｍｌ）を添加することによって、混合物のｐＨを６から４．５に調整した。反応混合物をＥｔＯＡｃ（５０ｍｌ）で抽出し、ｐＨ３のクエン酸緩衝液（４×４０ｍｌ）で抽出した。有機相を水（４０ｍｌ）で洗浄し、Ｎａ２ＳＯ４で乾燥し、濾過し、濃縮して、黄色がかった粘性固体を得た。ＥｔＯＡｃとシクロヘキサン（１：２）を使用したフラッシュクロマトグラフィーで粗生成物を精製し、白色固体（９２０ｍｇ、６４％）を得た。
【００７９】
段階３：一般的な記述に従って、カップリングを行った。
【００８０】
実施例８
段階１：Ｄ，Ｌ−ホモシステインチオラクトン塩酸塩（１０ｇ、６５ｍｍｏｌ）及びＤＩＰＥＡ（２２．６ｍｌ、１３０ｍｍｏｌ）をＤＣＭ（１２０ｍｌ）に溶解した。混合物を０℃に冷却した後、ＤＣＭ（３０ｍｌ）中の塩化１−ナフトイル（１２．４ｇ、６５ｍｍｏｌ）を添加した。反応混合物を室温で終夜撹拌した。溶媒を真空下で蒸発させ、粗生成物をＥｔＯＡｃ（３００ｍｌ）で再び溶かし、１０％（ｗ／ｗ）クエン酸溶液（４×１００ｍｌ）、１０％（ｗ／ｗ）Ｋ２ＣＯ３水溶液（４×１００ｍｌ）、水（１００ｍｌ）で抽出し、無水Ｎａ２ＳＯ４で乾燥し、濾過し、真空下で蒸発させ、白色固体（１２．８ｇ、７３％）を得た。
【００８１】
段階２：３−アミノフェノール（１．２１ｇ、１１．０６ｍｍｏｌ）を、乾燥ＴＨＦ（１０ｍｌ）と混合し、０℃に冷却した。トルエン（９．２１ｍｌ、９．２１ｍｍｏｌ）中のＤＩＢＡＬ−Ｈ（１．０Ｍ）を、アルゴン雰囲気中で添加した。２時間後に、段階２からの化合物（１．０ｇ、３．６９ｍｍｏｌ）の乾燥ＴＨＦ（２７ｍｌ）溶液を、室温で滴下した。反応混合物を２時間撹拌した。段階１からの化合物を添加して３時間後に、混合物を０℃に冷却し、水（４ｍｌ）を添加することによって、反応を止めた。１Ｍ  ＫＨＳＯ４水溶液（７．５ｍｌ）を添加することによって、混合物のｐＨを６から５に調整した。反応混合物を、ＥｔＯＡｃ（５５ｍｌ）及びｐＨ３のクエン酸水溶液（４×４０ｍｌ）で抽出した。有機相を水（４０ｍｌ）で洗浄し、Ｎａ２ＳＯ４で乾燥し、濾過し、濃縮して、黄色固体を得た。ＥｔＯＡｃとシクロヘキサン（１：２）を使用したフラッシュクロマトグラフィーで粗生成物を精製し、白色固体（８５０ｍｇ、６１％）を得た。
【００８２】
段階３：一般的な記述に従って、カップリングを行った。
【００８３】
実施例９
段階１：３−ヒドロ安息香酸（１．０ｇ、７．２４ｍｍｏｌ）をアルゴン雰囲気中で乾燥ＤＭＦ（５６ｍｌ）に溶解した。Ｎ−メチルモルホリン（１．０ｍｌ、１．２３ｍｍｏｌ）を添加し、透明溶液を０℃に冷却した後、クロロギ酸イソブチル（０．９４ｍｌ、７．２４ｍｍｏｌ）を滴下した。混合物を６０分間撹拌し、橙色溶液を形成した。反応混合物に、Ｄ，Ｌ−ホモシステインチオラクトン塩酸塩（１．３４ｇ、８．６９ｍｍｏｌ）、乾燥ＤＭＦ（３０ｍｌ）、ジメチルアミノピリジン（６３ｍｇ、０．５２ｍｍｏｌ）及びＮ−メチルモルホリン（１．３８ｍｌ、１２．５３ｍｍｏｌ）の溶液を４５分間で滴下した。４時間後に、飽和したＮＨ４Ｃｌ（４００ｍｌ）を混合物に添加した。溶液をよく混合し、ＥｔＯＡｃ（３×１００ｍｌ）で抽出した。有機層を合わせ、１０％（ｗ／ｗ）クエン酸溶液（３×１００ｍｌ）、１０％（ｗ／ｗ）Ｋ２ＣＯ３（３×１００ｍｌ）、水で抽出し、無水Ｎａ２ＳＯ４で乾燥し、濾過し、真空下で蒸発させ、黄色オイルを得た。それを、ＥｔＯＡｃとシクロヘキサン（１：２）を使用したフラッシュクロマトグラフィーにかけ、白色固体（５３０ｍｇ、３１％）を得た。
【００８４】
段階２：ＤＩＢＡＬ−Ｈ（１．０Ｍ）のトルエン（５ｍｌ、５ｍｍｏｌ）溶液を、アルゴン雰囲気中０℃で、３−アミノフェノール（０．６５ｇ、５．９４ｍｍｏｌ）の乾燥ＴＨＦ（５ｍｌ）溶液に添加した。２時間後に、段階１で得られた化合物（０．４７ｇ、１．９８ｍｍｏｌ）の乾燥ＴＨＦ（６ｍｌ）溶液を室温で滴下した。段階１からの化合物を添加して２時間後に、混合物を０℃に冷却し、水（２ｍｌ）を添加することによって、反応を止めた。橙色固体が形成された。１Ｍ  ＫＨＳＯ４水溶液（３ｍｌ）を添加することによって、混合物のｐＨを５から４に調整した。反応混合物をＥｔＯＡｃ（２０ｍｌ）と混合し、ｐＨ３のクエン酸緩衝液（４×２０ｍｌ）で抽出した。有機相を水（４０ｍｌ）で洗浄し、Ｎａ２ＳＯ４で乾燥し、濾過し、濃縮して、黄色固体を得た。ＥｔＯＡｃとシクロヘキサン（４：１）を開始移動相として使用したフラッシュクロマトグラフィーで粗生成物を精製した。生成物は、まだ３−アミノフェノールを含んでいたので、ＡｃＯＥｔ（４０ｍｌ）を添加し、ＨＣｌ  １Ｍでもう一回抽出を行った。有機相をｐＨ７の水（２×４０ｍｌ）で洗浄し、Ｎａ２ＳＯ４で乾燥し、濾過し、濃縮して、化合物１１として白色固体（２１０ｍｇ、１０％）を得た。
【００８５】
段階３：一般的な記述に従って、カップリングを行った。
【００８６】
【表１】
0004660472.tif 000004
【００８７】
親和性試験のための実験参考手順
クロマトグラフィーシステム：
実験は全て、Ｕｎｉｃｏｒｎ  ３．１ソフトウェアを装備したＡＫＴＡ（登録商標）Ｅｘｐｌｏｒｅｒ  １００クロマトグラフィーシステム（Ａｍｅｒｓｈａｍ  Ｂｉｏｓｃｉｅｎｃｅｓ  ＡＢ）を使用して室温で行った。
【００８８】
試験１：デオキシコルチコステロン
注入量：１０μｌ（溶出液Ａ中のＢＳＡ１０ｍｇ）
流量：０．３ｍｌ／ｍｉｎ
溶出液Ａ：ＭＱ  Ｍｉｌｌｉ−Ｑ水中の２０ｍＭリン酸塩、ｐＨ７．２
溶出液Ｂ：ＭＱ  Ｍｉｌｌｉ−Ｑ水中の２０ｍＭリン酸塩及び２Ｍ  ＮａＣｌ、ｐＨ７．２
溶出：直線勾配（０−１００％Ｂ）
勾配条件：カラム平衡化＝５カラム体積（ＣＶ）、勾配体積＝１０ＣＶ、（勾配後の）１００％Ｂによるカラム洗浄＝２ＣＶ
検出波長：２１５、２５４、２８０ｎｍ
【図面の簡単な説明】
【００８９】
【図１】別の部位を与える、本発明に使用される付着の概念を示す図である。
【図２】本発明の方法を用いて、リガンドのライブラリーをどのように生成できるかを例によって示す図である。
【図３ａ】通常の不均質アフィニティ媒体の製造法の概略図である。
【図３ｂ】均質アフィニティ媒体を本発明に従ってどのように製造できるかを示す概略図である。
【図４】実施例に詳細に記載の通り得られたクロマトグラムを示す図である。
【図１】
0004660472.tif 000006
【図２】
0004660472.tif 000007
【図３ａ】
0004660472.tif 000008
【図３ｂ】
0004660472.tif 000009
【図４】
0004660472.tif 000010